(57)【要約】      （修正有）【課題】養鶏施設内の既設の給水設備に、後付け可能な冷却装置の提供。【解決手段】冷却装置２を、冷却配管５と、冷媒源と、断熱部材８とを備えて構成する。そして、冷却配管５を、給水管３において、給水口３１（ニップル式給水器４）が配列される周方向の一側面３０１とは異なる側面３０２に隣接して設けるとともに、それらの給水管３および冷却配管５に対して、管軸方向に延びて形成され、該給水管３の一側面３０１を開放し、残余の側面３０３，３０４から前記冷却配管５を覆う、つまり管軸方向とは直交する断面がコの字の断面を有する断熱部材８によって覆う。したがって、既設の給水管３に後付けで、該給水管３およびその管内の鶏飲水の冷却が可能になる。【選択図】図２
2015080415.tif 000002
【特許請求の範囲】
【請求項１】
養鶏施設における鶏飲水の給水装置に設けられる冷却装置であって、
前記給水装置における給水管は、鶏を収容する各ケージに沿って配設され、その周方向における一側面には、管軸方向に前記各ケージに対応したピッチで給水口が配列され、
前記給水管における前記給水口の形成されていない他の側面に隣接して、前記給水管に並行に設けられ、内部を冷媒が通過する冷却配管と、
前記管軸方向に延びて形成され、前記給水管の一側面を開放し、前記一側面の周囲から前記冷却配管を覆う断熱部材とを含むことを特徴とする鶏飲水の冷却装置。
【請求項２】
前記給水管には井戸水が供給され、
前記冷却配管は、前記井戸水の供給方向の下流側から上流側に向けて前記冷媒が通過するように敷設されることを特徴とする請求項１記載の鶏飲水の冷却装置。
【請求項３】
前記冷却配管は、可撓性を有するホースから成り、前記給水管に密着して併設されることを特徴とする請求項１または２記載の鶏飲水の冷却装置。
【請求項４】
前記給水管は、前記管軸方向とは直交する断面が略矩形に形成され、
前記断熱部材は、前記管軸方向とは直交する断面がコの字状に形成されるとともに、前記コの字の両遊端部には、前記略矩形の給水管の隅角部を抱え込む内向きフランジを有することを特徴とする請求項１〜３の何れか１項に記載の鶏飲水の冷却装置。
【請求項５】
前記断熱部材は、前記管軸方向とは直交する断面がコの字状に形成され、そのコの字は、前記管軸方向とは直交する断面がコの字状の内筒部および外筒部と、周方向に適宜配置され、前記内筒部と外筒部との間に所定の空間を形成するように連結するリブとを備え、樹脂の押出し成形によって形成されることを特徴とする請求項１〜４のいずれか１項に記載の鶏飲水の冷却装置。
【請求項６】
前記請求項１〜５のいずれか１項に記載の鶏飲水の冷却装置と、前記給水口が配列される給水管とを有することを特徴とする養鶏施設における給水装置。
【発明の詳細な説明】
【技術分野】
【０００１】
本発明は、養鶏施設において、各ケージで飼育される鶏に飲み水を供給する給水装置に関し、特に夏期などで高温になる前記飲み水を冷却するための装置に関する。
【背景技術】
【０００２】
前記のような鶏飲水の冷却機能を有する給水装置は、たとえば本件出願人による特許文献１などで示されている。その特許文献１によれば、各ケージに沿って延び、管軸方向に前記各ケージに対応したピッチで、ニップルドリンカーなどと称される給水口が配列される給水管を、二重筒構造とし、前記給水口は外筒に取付け、内筒には冷水を通すことで、前記外筒内を流れる鶏飲水を冷却するようになっている。
【先行技術文献】
【特許文献】
【０００３】
【特許文献１】特許第４７５６７１１号公報
【発明の概要】
【発明が解決しようとする課題】
【０００４】
上述の従来技術では、鶏飲水を冷却することで、鶏の夏バテを防止し、採卵効率を高めることができるとともに、前記給水口に低圧で供給される鶏飲水を直接冷却しないので、簡単な構成で冷却を実現でき、また鶏飲水を清潔に保つことができるようになっている。しかしながら、前記二重筒構造の給水管は専用品で、養鶏施設の新設または大規模な改修時にしか設置することができない。また、メンテナンスも煩雑である。
【０００５】
本発明の目的は、新設、既設を問わず、給水管に適用可能な鶏飲水の冷却装置およびそれを備える給水装置を提供することである。
【課題を解決するための手段】
【０００６】
本発明の鶏飲水の冷却装置は、養鶏施設に用いられる鶏飲水の冷却装置であって、鶏を収容する各ケージに沿って配設されて前記鶏飲水が供給される給水管において、その管軸方向に前記各ケージに対応したピッチで給水口が配列される周方向における一側面とは異なる側面に隣接し、前記管軸方向に延びて形成され、内部を冷媒が通過する冷却配管と、前記管軸方向に延びて形成され、前記給水管の一側面を開放し、残余の側面から前記冷却配管を覆う断熱部材とを含むことを特徴とする。
【０００７】
上記の構成によれば、養鶏施設内の各ケージで飼育される鶏に飲み水を供給する給水経路において、夏期などで高温になる前記飲み水を冷却する冷却装置を設ける。その冷却装置は、冷却配管と、断熱部材とを備えて構成される。
【０００８】
前記冷却配管は、各ケージに沿って延びる給水管において、給水口が配列される周方向における一側面とは異なる側面、たとえば反対側に、隣接して設けられる。その冷却配管には、冷媒源から冷媒が供給（循環）される。
【０００９】
一方、前記給水管および冷却配管は、前記管軸方向に延びて形成され、前記給水管の一側面を開放し、残余の側面から前記冷却配管を覆う、つまり管軸方向とは直交する断面がコの字やＣの字の断熱部材によって覆われる。すなわち、前記管軸方向に延びて併設されることになる給水管および冷却配管において、給水管の前記給水口が配列される周方向における一側面だけが露出し、残余の側面から冷却配管の部分は前記断熱部材の凹部に嵌め込まれて覆われる。
【００１０】
したがって、既設の給水管に後付けで、該給水管およびその管内の鶏飲水の冷却が可能になる。また、極めて簡単な取付け、たとえば前記給水口が給水管の下方に配列されている場合、冷却配管を上方に沿わせた後、上方から断熱部材を嵌め込むだけで、取付けを行うことができる。さらにまた、断熱効果によって、該冷却装置の装置および運転コストを低減することができる。また、鶏飲水自体を直接冷却装置で冷却しないので、鶏飲水を清潔に保つことができるとともに、給水管または冷却配管の何れかが汚れた場合や破損した場合には、一方のみを交換でき、メンテナンスも容易である。
。さらにまた、前記給水管の一側面からの放冷によって、夏期などで非常に高温になる養鶏施設において、前記ケージ内の鶏の近辺だけを、局所的に冷却することもできる。
【００１１】
また、本発明の鶏飲水の冷却装置では、前記給水管には井戸水が供給され、前記冷却配管は、前記井戸水の供給方向の下流側から上流側に向けて前記冷媒が通過するように敷設されることを特徴とする。
【００１２】
上記の構成によれば、年間を通して比較的温度が一定している井戸水を鶏飲水に使用する場合に、給水管における井戸水の供給方向の下流側から上流側に向けて冷媒が通過するように冷却配管を敷設することで、温度が上がる給水管の下流側に温度が低い冷却配管の上流側が接することになり、温度ムラを抑えることができる。
【００１３】
さらにまた、本発明の鶏飲水の冷却装置では、前記冷却配管は、可撓性を有するホースから成り、前記給水管に密着して併設されることを特徴とする。
【００１４】
上記の構成によれば、前記冷却配管が、ビニルホースなどの可撓性を有するホースから成ることで、安価であるとともに、取り扱いが容易になる。具体的には、前記給水口が前記各ケージに対応したピッチで配列される給水管は、規定の長さの物が継ぎ足されて使用されるのに対して、前記ホースは長尺で巻き取られている物を必要な長さだけ解いて切断すればよく、前記取り扱いが非常に容易である。また、そのようなホースが前記給水管に密着して併設されることで、前記断熱部材が嵌め込まれると、該ホースが変形し（潰れ）て、給水管により一層密着し、接触面積が増えて熱伝導を効率的に行うことができる。さらにまた、前記冷却配管が、前記のビニルホースなどから成る場合、金属製のホースに比べて熱伝導率が低く、前記給水管の管軸方向に亘る鶏飲水の温度分布を小さくすることができる。つまり、前記冷媒源から冷媒が供給される給水管の一端側から、前記冷媒源へ冷媒を戻す給水管の他端側に亘って、該給水管内の鶏飲水の温度のムラを小さく、具体的には他端側の温度上昇を小さくすることができる。
【００１５】
また、本発明の鶏飲水の冷却装置では、前記給水管は、前記管軸方向とは直交する断面が略矩形に形成され、前記断熱部材は、前記管軸方向とは直交する断面がコの字状に形成されるとともに、前記コの字の両遊端部には、前記略矩形の給水管の隅角部を抱え込む内向きフランジを有することを特徴とする。
【００１６】
上記の構成によれば、前記冷却配管を給水管に沿わせた後、コの字状の断面の断熱部材を冷却配管の側から嵌め込むだけで、該断熱部材を容易に取付けることができるとともに、前記冷却配管を給水管に一体化することができる。また、該断熱部材が確実に取付けられると、前記コの字の両遊端部に形成された内向きフランジが、略矩形の給水管の隅角部を抱え込むので、抜け止めを行うことができる。
【００１７】
さらにまた、本発明の鶏飲水の冷却装置では、前記断熱部材は、前記管軸方向とは直交する断面がコの字状に形成され、そのコの字は、前記管軸方向とは直交する断面がコの字状の内筒部および外筒部と、周方向に適宜配置され、前記内筒部と外筒部との間に所定の空間を形成するように連結するリブとを備え、樹脂の押出し成形によって形成されることを特徴とする。
【００１８】
上記の構成によれば、二重筒構造で、断熱効果の高い断熱部材を、容易かつ安価に作成することができる。
【００１９】
また、本発明の養鶏施設における給水装置は、前記の鶏飲水の冷却装置と、前記給水口が配列される給水管とを有することを特徴とする。
【００２０】
上記の構成によれば、夏期などで高温になる鶏飲水の冷却が可能な給水装置を、容易、かつ低コストに実現することができる。
【発明の効果】
【００２１】
本発明の鶏飲水の冷却装置は、以上のように、養鶏施設内の各ケージで飼育される鶏の飲み水を冷却するにあたって、給水管の給水口が配列される周方向における一側面とは異なる側面に、冷媒が通る冷却配管を設けるとともに、給水管の残余の側面から冷却配管を断熱部材で覆うので、極めて簡単に、既設の給水管に後付けで、鶏飲水の冷却が可能になる。
【図面の簡単な説明】
【００２２】
【図１】本発明の実施の一形態に係る養鶏施設における鶏飲水の給水装置の構成を模式的に示す図である。
【図２】本実施の形態に係る給水管の管軸方向とは直交する断面の図である。
【図３】冷却配管および断熱部材を前記給水管に組付けた状態を示す斜視図である。
【図４】給水管の接続部の斜視図である。
【発明を実施するための形態】
【００２３】
図１は、本発明の実施の一形態に係る養鶏施設における鶏飲水の給水装置１の構成を模式的に示す図である。養鶏施設では、１つの鶏舎に、多数のケージが、たとえば３山や５山、また各山には５段や７段で設けられる。図１は、図面の簡略化のために、１山の片面を３段で示しており、鶏を収容するケージは示しておらず、また鶏舎自体や、給餌や集卵などための構成も省略しており、給水装置１の構成だけを示している。
【００２４】
本実施の形態の給水装置１は、後述するように、養鶏施設内の各ケージで飼育される鶏に飲み水を供給する給水経路において、夏期などで高温になる前記飲み水を冷却する冷却装置２を、後付けで設置可能な点を特徴としている。しかしながら、本実施の形態の給水装置１は、後述するような導入コストの安さのために、新設時に設置されてもよいことは勿論である。
【００２５】
前記既設の給水経路としては、鶏を収容する各ケージに沿って、前記鶏飲水が供給される給水管３が敷設されており、その給水管３には、管軸方向に前記各ケージに対応したピッチで、給水口３１が設けられている。前記給水口３１が設けられる、すなわちケージが並設される範囲を、参照符号Ｗで示しており、たとえば５８．２ｍである。
【００２６】
前記給水管３は、その上流側が、チーズ３２やエルボ３３などの継手や配管３４などを介して、配管３５に集合されている。配管３５は、水道水もしくは井戸水が供給される本管３６から分岐して配管されており、その配管３５の途中には、減圧装置３７および水位表示用浮き３８が設けられている。前記本管３６の途中には、必要に応じて送水ポンプ（図示せず）が設けられ、その送水ポンプは、本管３６に設けられた圧力センサ（図示せず）によって一定以上の水圧に上昇したこと検知すると停止するようになっている。こうして、給水管３には、矢符Ｆ１で示すように鶏飲水が供給され、下流側のドレン用の水栓３９を開けることで、適宜、該給水管３内の鶏飲水の入れ替えを行うことができるようになっている。
【００２７】
図２は、本実施の形態に係る給水管３の管軸方向とは直交する断面の図である。この断面図を用いて、前記給水口３１に設けられるニップル式給水器４の動作を説明する。図２（ａ）は、鶏飲水が排出されていない状態を示し、ニップル状の突起４１は自重で本体４２から下方に突出した状態となっている。その突起４１が、鶏のくちばし等で上方に突き上げられると、突起４１が図２（ｂ）に示すように本体４２内に入り込み、弁４３が開放されて、前記給水管３内に供給されている鶏飲水が、本体４２の下方から流れ落ちる。すなわち、鶏が突起４１を突き上げないと、図２（ａ）に示すように、突起４１が下がり、弁４３が閉じて、給水管３から水が漏れ出ないようになっている。
【００２８】
このように構成される鶏舎における既設の給水設備に対して、本実施の形態の冷却装置２は、後付けで設置可能となっている。本実施の形態の冷却装置２は、前記給水管３において、その管軸方向に前記各ケージに対応したピッチで給水口３１が配列される周方向における一側面３０１とは異なる側面３０２に隣接し、前記管軸方向に延びて形成される冷却配管５と、前記冷却配管５内に冷媒を供給する冷媒源６と、前記管軸方向に延びて形成され、前記給水管３の一側面３０１を開放し、残余の側面３０３，３０４から前記冷却配管５を覆う断熱部材８とを備えて構成される。
【００２９】
図２の例では、給水管３は、管軸方向とは直交する断面が略矩形に形成されており、給水口３１が形成される（ニップル式給水器４が取付けられている）前記一側面３０１は底面であり、冷却配管５が隣接する前記異なる側面３０２は天面であり、前記残余の側面３０３，３０４は両側面となる。たとえば、前記給水管３は、幅１５ｍｍ、高さ１２ｍｍである。前記冷却配管５は、図２のように、給水管３の上方に積層されるのではなく、給水管３の側方に設けられてもよい。
【００３０】
前記冷媒源６は、前記冷却配管５内に冷媒を供給する総ての構成から成り、図１の例では、チラー６１、タンク６２、ポンプ６３，６４、 供給管６５、戻り管６６、分岐管６７，６８、流量調節バルブ６９、バルブ７１，７２およびチーズ７３やエルボ７４などの適宜の継手を備えて構成される。本実施の形態では、冷媒として水を使用するものとする。したがって、タンク６２に貯留される冷水は、ポンプ６４によって汲み出されて供給管６５に供給され、バルブ７１から、適宜設けられるチーズ７３やエルボ７４などの継手および分岐管６７を介して、矢符Ｆ２で示すように各冷却配管５へ供給される。各冷却配管５で給水管３の冷却に使用された水は、分岐管６８や適宜の継手から戻り管６６およびバルブ７２を介して、タンク６２に戻る。
【００３１】
たとえば、給水口３１（ニップル式給水器４）の数が４８００個、タンク６２の容量は５００Ｌ、チラー６１の冷却能力は１２．５ｋＷで、チラー６１は、ポンプ６３によって汲み上げられたタンク６２内の水を、たとえば１０℃冷却してタンク６２に戻し、タンク６２内の冷水の温度は、１２〜１３℃である。これによって、たとえば外気温度が３７℃程度でも、２７℃程度の鶏飲水を供給することができる。
【００３２】
チラー６１は、制御装置（図示せず）による温度制御機能によって、水温計（図示せず）によるタンク６２内の冷水の温度測定結果や、温度計による鶏舎内の温度測定結果に応答して、その運転が制御され、水温が前記の温度に維持される。また、チラー６１は、前記制御装置によるスケジュール運転機能によって、たとえば夜間など、鶏が眠りにつきほとんど水を飲まない時間になると、その運転が停止され、朝になり、鶏が活動する時間になると運転が再開されるようになっている。
【００３３】
また、チラー６１としては、冷媒を用いた冷凍サイクル式の冷却装置でもよいが、氷蓄熱装置を用いて、夜間電力で氷を造っておき、昼間にその冷熱を利用して冷却するようにしてもよい。さらにまた、タンク６２およびポンプ６４が省略され、チラー６１からの冷水を、ポンプ６３によって直接、供給管６５に供給するようにしてもよい。
【００３４】
一方、たとえば前記供給管６５および戻り管６６は３０Ａの配管（５／４インチ）であり、分岐管６７，６８は２５Ａの配管（１インチ）である。たとえば、ケージが７段の場合、前記供給管６５および戻り管６６は前記分岐管６７，６８の上４段、下３段の間に接続され、供給側の分岐管６７において、供給管６５の接続点より下側には流量調節バルブ６９が設けられており、この流量調節バルブ６９の調整によって、上４段に流れる冷水流量と、下３段に流れる冷水流量との比を調整することができる。したがって、相対的に暑くなり易い鶏舎の上の方は流量を多くし、下の方は少なくするような調整が可能となっている。
【００３５】
さらに、本実施の形態では、前記本管３６から給水管３には、年間を通して比較的温度が一定している井戸水が供給される。それに対応して、矢符Ｆ１で示す給水管３における井戸水の供給方向とは反対の矢符Ｆ２方向に、冷却配管５における冷水が供給される。すなわち、前記矢符Ｆ１で示す給水管３における井戸水の供給方向の下流側から上流側に向けて冷水通過するように、冷却配管５が敷設される。これによって、温度が上がる給水管３の下流側に温度が低い冷却配管５の上流側が接することになり、温度ムラを抑えることができるようになっている。
【００３６】
図３は、前記冷却配管５および断熱部材８を前記給水管３に組付けた状態を示す斜視図である。なお、図３では、図面の簡略化のために、ニップル式給水器４は省略している。図２および図３を参照して、断熱部材８は、互いに積層された前記冷却配管５および断熱部材８を、冷却配管５の側から抱え込むように、前記管軸方向とは直交する断面がコの字やＣ字（図２および図３の例ではコの字）状に形成されるとともに、前記コの字の両遊端部８１，８２には、前記略矩形の給水管３の隅角部３０５，３０６を抱え込む内向きフランジ８３，８４が形成されている。図２および図３の例では、給水管３の隅角部は面取りされており、前記フランジ８３，８４は、給水管３の底面である一側面３０１の周縁部に係止することになる。こうして、冷却配管５を給水管３に沿わせた後、コの字状の断面の断熱部材８を冷却配管５の側から嵌め込むだけで、該断熱部材８を容易に取付けることができるとともに、前記冷却配管５を給水管３に一体化することができる。また、該断熱部材８が確実に取付けられると、前記コの字の両遊端部８１，８２に形成された内向きフランジ８３，８４が、略矩形の給水管３の隅角部を抱え込むので、抜け止めを行うことができる。
【００３７】
さらに、前記管軸方向とは直交する断面がコの字の断熱部材８は、コの字状の内筒部８５および外筒部８６と、周方向に適宜配置され、前記内筒部８５と外筒部８６との間に所定の空間を形成するように連結するリブ８７とを備えて構成され、樹脂の押出し成形によって形成されている。こうして、二重筒構造で、断熱効果の高い断熱部材８を、容易かつ安価に作成することができるようになっている。
【００３８】
前記給水管３は、予め定める長さ、たとえば３．６ｍの塩ビパイプなどから成り、前記の５８．２ｍには、適宜継ぎ足されて使用される。その継目は、温度による該給水管３の伸縮を吸収するために、図４で示すような、ゴム製で伸縮自在の継手９によって連結されている。前記継手９は、矩形の給水管３の端部にそれぞれ気密に嵌まり込む連結部９１，９２と、それらの連結部９１，９２間を連結し、ダイヤフラム状に形成されて軸方向に伸縮可能な伸縮部９３とを備えて構成される。前記断熱部材８は、この給水管３に合わせた長さに形成され、拡径する継手９の部分は、必要に応じて、前記管軸方向とは直交する断面がコの字で、別途に作成される薄肉のカバー部材９４によって覆われる。
【００３９】
一方、前記冷却配管５は、可撓性を有する、たとえば１５ｍｍ径の塩ビホースから成り、前記給水管３に密着して併設される。したがって、該冷却配管５が安価であるとともに、その取り扱いが容易になる。具体的には、前記給水口３１（ニップル式給水器４）が前記各ケージに対応したピッチで配列される給水管３は、上述のように、たとえば３．６ｍの規定の長さの物が継ぎ足されて使用されるのに対して、前記塩ビホースは長尺で巻き取られている物を必要な長さだけ解いて切断すればよく、前記取り扱いが非常に容易である。また、そのような塩ビホースが前記給水管に密着して併設されることで、前記断熱部材８が嵌め込まれると、該塩ビホースが変形し（潰れ）て、給水管３により一層密着し、接触面積が増えて熱伝導を効率的に行うことができる。
【００４０】
さらにまた、前記冷却配管５の熱伝導が或る程度低いものを用いることで、前記給水管３の管軸方向に亘る鶏飲水の温度分布を小さくすることができる。つまり、供給管６５側の給水管３の一端側から、戻り管６６側の他端側に亘って、該給水管３内の鶏飲水の温度のムラを小さく、具体的には他端側の温度上昇を小さくすることができる。
【００４１】
以上のように、本実施の形態の給水装置１によれば、養鶏施設内の各ケージで飼育される鶏に飲み水を供給する給水経路において、夏期などで高温になる前記飲み水を冷却する冷却装置２を設けるにあたって、その冷却装置２を、冷却配管５と、冷媒源６と、断熱部材８とを備えて構成する。そして、前記冷却配管５を、給水管３において、給水口３１（ニップル式給水器４）が配列される周方向における一側面３０１とは異なる側面３０２に隣接して設けるとともに、それらの給水管３および冷却配管５に対して、管軸方向に延びて形成され、該給水管３の一側面３０１を開放し、残余の側面３０３，３０４から前記冷却配管５を覆う、つまり管軸方向とは直交する断面がコの字やＣの字の断面を有する断熱部材８によって覆う。すなわち、前記管軸方向に延びて併設されることになる給水管３および冷却配管５において、給水管３の前記給水口３１が配列される周方向における一側面３０１だけが露出し、残余の側面３０３，３０４から冷却配管５の部分を、前記断熱部材８の凹部８８に嵌め込んで覆う。
【００４２】
したがって、既設の給水管３に後付けで、該給水管３およびその管内の鶏飲水の冷却が可能になる。また、極めて簡単な取付け、たとえば図２のように、給水口３１が給水管３の下方に配列されている場合、冷却配管５を上方に沿わせた後、上方から断熱部材８を嵌め込むだけで、取付けを行うことができる。さらにまた、給水管３または冷却配管５の何れかが汚れた場合や破損した場合には、一方のみを交換でき、メンテナンスも容易である。こうして、夏期などで高温になる鶏飲水の冷却が可能な給水装置１を、容易、かつ低コストに実現することができる。
【００４３】
さらにまた、断熱部材８の断熱効果によって、該冷却装置２の装置および運転コストを低減することができる。また、鶏飲水自体を直接冷却装置で冷却しないので、鶏飲水を清潔に保つことができる。
【００４４】
さらにまた、前記給水管３の一側面３０１からの放冷によって、夏期などで非常に高温になる養鶏施設において、前記ケージ内の鶏の近辺だけを、局所的に冷却することもできる。この一側面３０１からの放冷が必要無い場合、前記給水口３１（ニップル式給水器４）を避けて、前記薄肉のカバー部材９４を下方から嵌め込めむようにしてもよい。
【符号の説明】
【００４５】
１    鶏飲水の給水装置
２    冷却装置
３    給水管
３０１  一側面
３０２  異なる側面
３０３，３０４    残余の側面
３０５，３０６    隅角部
３１    給水口
４    ニップル式給水器
５    冷却配管
６    冷媒源
６１    チラー
６２    タンク
６３，６４  ポンプ
６５    供給管
６６    戻り管
６９    流量調節バルブ
８    断熱部材
８１，８２    遊端部
８３，８４    内向きフランジ
８５    内筒部
８６    外筒部
８７    リブ
９    継手
９１，９２    連結部
９３    伸縮部
９４    カバー部材
【図１】
2015080415.tif 000003
【図２】
2015080415.tif 000004
【図３】
2015080415.tif 000005
【図４】
2015080415.tif 000006